(57)【特許請求の範囲】
【請求項１】
キー部材が配設されている入力手段と、発呼側装置からの着呼に伴い呼出音を鳴動する鳴動手段とを備えた電話装置において、
前記鳴動手段による呼出音の鳴動中に前記入力手段のキー部材が操作された場合に、前記鳴動手段による鳴動を禁止する鳴動禁止手段と、
前記鳴動手段により鳴動される呼出音の音量を増減する音量増減手段と、
回線の閉結前に交換機側から送られる発呼側装置の電話番号を受信可能な受信手段と、
その受信手段によって受信された発呼側装置の電話番号を表示可能な表示手段と、
その表示手段による発呼側装置の電話番号の表示中かつ前記鳴動手段による呼出音の鳴動中に前記入力手段のキー部材が操作された場合に、前記鳴動禁止手段を作動する作動手段と、
前記表示手段による発呼側装置の電話番号の非表示中かつ前記鳴動手段による呼出音の鳴動中に前記入力手段のキー部材が操作された場合に、前記音量増減手段を作動する鳴動音制御手段とを備えていることを特徴とする電話装置。
【請求項２】
前記発呼側装置からの着呼が途絶えた場合に、前記鳴動禁止手段による鳴動の禁止を解除する解除手段を備えていることを特徴とする請求項１記載の電話装置。
【請求項３】
回線の閉結前に交換機側から送られる発呼側装置の電話番号を受信可能な受信手段と、
前記鳴動手段による呼出音の鳴動中に前記入力手段のキー部材が操作された場合に、前記受信手段によって受信された発呼側装置の電話番号を記憶する記憶手段と、
新たに発呼側装置からの着呼があった場合に、前記受信手段によって受信された発呼側装置の電話番号と前記記憶手段に記憶されている発呼側装置の電話番号とが一致するか否かを判断する判断手段と、
その判断手段により発呼側装置の電話番号が一致すると判断された場合に、前記鳴動手段による鳴動を禁止する番号鳴動禁止手段とを備えていることを特徴とする請求項１または２に記載の電話装置。
【請求項４】
前記鳴動手段による呼出音の鳴動中に前記入力手段のキー部材が操作された場合に、回線を閉結し、発呼側装置に対して所定のメッセージを通知するメッセージ通知手段を備えていることを特徴とする請求項１から３のいずれかに記載の電話装置。
【発明の詳細な説明】
【０００１】
【発明の属する技術分野】
本発明は電話装置に関し、特に、発呼側装置からの着呼に伴う呼出音の鳴動中に、その呼出音の鳴動をキー操作によって禁止することができる電話装置に関するものである。
【０００２】
【従来の技術】
電話装置の中には、発呼側装置からの着呼に伴う呼出音の鳴動を禁止する機能を備えたものがある。この機能を備えた電話装置では、予め、かかる機能をオン状態に設定する必要がある。即ち、受信者によってかかる機能が予めオン状態に設定されると、発呼側装置からの着呼があっても、その着呼に伴う呼出音の鳴動を禁止することができる。よって、受信者は、発呼側装置からの着呼による煩わしさを解消することができるのである。
【０００３】
【発明が解決しようとする課題】
しかしながら、かかる機能では、発呼側装置からの着呼に伴う呼出音の鳴動中に、その呼出音の鳴動を禁止することができない。よって、受信者は、着呼に伴う呼出音の鳴動中に、心境や状況に応じて、その呼出音の鳴動を禁止することができないという問題点があった。
【０００４】
本発明は上記した問題点を解決するためになされたものであり、発呼側装置からの着呼に伴う呼出音の鳴動中に、その呼出音の鳴動をキー操作によって禁止することができる電話装置を提供することを目的としている。
【０００５】
【課題を解決するための手段】
この目的を達成するために請求項１記載の電話装置は、キー部材が配設されている入力手段と、発呼側装置からの着呼に伴い呼出音を鳴動する鳴動手段とを備えており、前記鳴動手段による呼出音の鳴動中に前記入力手段のキー部材が操作された場合に、前記鳴動手段による鳴動を禁止する鳴動禁止手段と、前記鳴動手段により鳴動される呼出音の音量を増減する音量増減手段と、回線の閉結前に交換機側から送られる発呼側装置の電話番号を受信可能な受信手段と、その受信手段によって受信された発呼側装置の電話番号を表示可能な表示手段と、その表示手段による発呼側装置の電話番号の表示中かつ前記鳴動手段による呼出音の鳴動中に前記入力手段のキー部材が操作された場合に、前記鳴動禁止手段を作動する作動手段と、前記表示手段による発呼側装置の電話番号の非表示中かつ前記鳴動手段による呼出音の鳴動中に前記入力手段のキー部材が操作された場合に、前記音量増減手段を作動する鳴動音制御手段とを備えている。
請求項１記載の電話装置によれば、鳴動手段による呼出音の鳴動中に入力手段のキー部材が操作された場合に、発呼側装置の電話番号が表示手段に表示されていれば、作動手段により鳴動禁止手段が作動され、呼出音の鳴動が禁止される。一方、かかる場合に、発呼側装置の電話番号が表示手段に表示されていなければ、鳴動音制御手段により音量増減手段が作動され、同様のキー操作により、呼出音の音量が増減される。
【０００６】
請求項２記載の電話装置は、請求項１記載の電話装置において、前記発呼側装置からの着呼が途絶えた場合に、前記鳴動禁止手段による鳴動の禁止を解除する解除手段を備えている。
【０００７】
請求項３記載の電話装置は、請求項１または２に記載の電話装置において、回線の閉結前に交換機側から送られる発呼側装置の電話番号を受信可能な受信手段と、前記鳴動手段による呼出音の鳴動中に前記入力手段のキー部材が操作された場合に、前記受信手段によって受信された発呼側装置の電話番号を記憶する記憶手段と、新たに発呼側装置からの着呼があった場合に、前記受信手段によって受信された発呼側装置の電話番号と前記記憶手段に記憶されている発呼側装置の電話番号とが一致するか否かを判断する判断手段と、その判断手段により発呼側装置の電話番号が一致すると判断された場合に、前記鳴動手段による鳴動を禁止する番号鳴動禁止手段とを備えている。
【０００８】
請求項３記載の電話装置によれば、請求項１または２に記載の電話装置と同様に作用する上、鳴動手段による呼出音の鳴動中に入力手段のキー部材が操作されると、受信手段によって受信された発呼側装置の電話番号が記憶手段に記憶される。ここで新たに発呼側装置からの着呼があると、判断手段によって、受信手段により受信されたその新たに着呼のあった発呼側装置の電話番号と記憶手段に記憶されている先の発呼側装置の電話番号とが一致するか否かが判断される。判断の結果、両電話番号が一致する場合には、番号鳴動禁止手段によって鳴動手段による鳴動が自動的に禁止される。
【０００９】
【００１０】
【００１１】
請求項４記載の電話装置は、請求項１から３のいずれかに記載の電話装置において、前記鳴動手段による呼出音の鳴動中に前記入力手段のキー部材が操作された場合に、回線を閉結し、発呼側装置に対して所定のメッセージを通知するメッセージ通知手段を備えている。
【００１２】
【発明の実施の形態】
以下、本発明の好ましい実施例について、添付図面を参照して説明する。図１は、本発明の一実施例であるファクシミリ装置１の外観斜視図である。ファクシミリ装置１の本体２の側部には、受話器３が取り付けられている。受話器３は非通話時には本体２に設けられた図示しないフック上に置かれ、通話時にはフックから取り上げられて使用される。前者をオンフック状態、後者をオフフック状態と称している。
【００１３】
本体２の上面前部には複数のキー４ａを備えた操作パネル４が設けられ、その操作パネル４の左後部には、発信電話番号表示サービス（「ナンバーディスプレー」、「Caller ID」）によって交換機２９から送られる発呼側装置（発信者）の電話番号（発信者番号）を表示するための液晶表示器（ＬＣＤ）５が設けられている。
【００１４】
ここで、発信電話番号表示サービスとは、被呼側装置が当該サービスに加入している場合に、交換機から発信者番号を被呼側装置へ送信するサービスである。発信者番号が送信されるタイミングは、日本やイギリスでは、呼出信号の直前の無音区間であり、アメリカでは、最初の呼出信号と次の呼出信号との間の無音区間である。このため発信者番号は、受信者によって被呼側装置の受話器が取り上げられる前に（受話器がオンフック状態のまま）被呼側装置によって受信される。よって、このサービスを利用すれば、被呼側装置の受話器を取り上げる前に、発信者番号を被呼側装置の表示器（例えば、ＬＣＤ５）へ表示して、受信者に発信者を認識させることができる。
【００１５】
操作パネル４の左端部には、上から順に鳴動禁止キー４ｂと留守キー４ｃとが設けられている。鳴動禁止キー４ｂは、発呼側装置からの着呼（呼出信号の着信）に伴う呼出音の鳴動中に、その呼出音の鳴動を禁止するためのものである。受信者は、着呼があった場合の心境や状況に応じて、鳴動禁止キー４ｂを押下することにより、即座に呼出音の鳴動を禁止することができるのである。
【００１６】
留守キー４ｃは、発呼側装置からの着呼があった場合に、発呼側装置に対して所定のメッセージを通知するためのものである。ファクシミリ装置１は、着呼に伴う呼出音の鳴動中に、受信者によって留守キー４ｃが押下されると、即座に電話回線を閉結し、発呼側装置に対して留守であることを示すメッセージを通知する。即ち、呼出音の鳴動中であっても、受信者による留守キー４ｃの押下により、着呼のあった発呼側装置に対して、直ちに留守番モードを起動することができるのである。
【００１７】
操作パネル４の右端部には、呼出音の音量を増減するための音量調節キー４ｄが設けられている。着呼がない待ち受け状態の場合や、着呼に伴う呼出音の鳴動中であって発信者番号がＬＣＤ５に表示されていない場合に、受信者により音量調節キー４ｄが押下されると、呼出音の音量がそのキー４ｄ操作に応じて増減される。一方、着呼に伴う呼出音の鳴動中であって、発信者番号がＬＣＤ５に表示されている場合に、音量調節キー４ｄが一回でも押下されると、即座に呼出音の鳴動が禁止される。
【００１８】
なお、ファクシミリ装置１は、この操作パネル４上に設けられた各キー４ａが押下されることにより操作され、その操作された状態や操作手順などはＬＣＤ５に表示される。
【００１９】
操作パネル４及びＬＣＤ５の後部には原稿挿入口６が設けられている。ファクシミリ送信される原稿は、この原稿挿入口６に原稿面を下向きにして挿入され、読み取りが行われた後に、本体２の前面であって操作パネル４の下方に設けられた原稿排出口７から排出される。原稿挿入口６の後部には記録紙ホルダ装着部９が設けられており、この記録紙ホルダ装着部９には、複数枚の記録紙を積層収納可能な記録紙ホルダ１０が着脱可能に取り付けられている。記録紙ホルダ１０から供給され印刷に使用された記録紙は、原稿排出口７の下方に設けられた記録紙排出口８から排出される。本体２の一側面には、着呼があった場合の呼出音の鳴動を行うためのスピーカ２８が設けられている。
【００２０】
図２は、本ファクシミリ装置１の電気的構成を示したブロック図である。ファクシミリ装置１には、ＣＰＵ１１、ＲＯＭ１２、ＥＥＰＲＯＭ１３、ＲＡＭ１４、画像メモリ１５、音声メモリ１６、音声ＬＳＩ１７、ネットワーク・コントロール・ユニット（以下「ＮＣＵ」と称す）１９、モデム２０、バッファ２１、スキャナ２２、符号化部２３、復号化部２４、プリンタ２５、操作パネル４、アンプ２７及び検出回路３３が備えられ、これらはバスライン３０を介して互いに接続されている。
【００２１】
ＮＣＵ１９は回線制御を行うためのものであり、ファクシミリ装置１はこのＮＣＵ１９を介して電話回線３１に接続されている。ＮＣＵ１９は、交換機２９から送信される呼出信号や発信者番号などを受信するとともに、操作パネル４上のキー４ａ操作に応じた発信時のダイヤル信号を交換機２９へ送信したり、更には通話時におけるアナログ音声信号の送受信を行うものである。
【００２２】
検出回路３３は、交換機２９とファクシミリ装置１とを接続している電話回線３１の極性反転を検出するためのものである。発呼側装置からファクシミリ装置１へ発呼されると、交換機２９は、最初に、ファクシミリ装置１と交換機２９とを接続している電話回線３１の極性反転を行う。電話回線３１の極性は、通常、交換機２９側に設けられている直流電源（電池）（図示せず）によって、電話回線３１のＬ１側がマイナスに、Ｌ２側がプラスにされている。よって、電話回線３１の極性反転が行われると、電話回線３１のＬ１側がプラスに、Ｌ２側がマイナスに反転されるのである。極性反転後、交換機２９とファクシミリ装置１との間で、呼出信号や発信者番号などの各種信号が送受信される。なお、電話回線３１の極性は、呼出信号に応じて受信者が受話器３を取り上げることにより、Ｌ１側がマイナスに、Ｌ２側がプラスに復極される。
【００２３】
ＣＰＵ１１は、ＮＣＵ１９を介して送受信される各種信号に従って、バスライン３０により接続された各部を制御してファクシミリ動作や電話動作、即ち、データ通信を実行するものである。ＣＰＵ１１は、交換機２９から呼出信号を受信したことを認識すると、呼出信号のタイミングと同期して呼出音をスピーカ２８から鳴動させる。しかし、呼出音の鳴動中に鳴動禁止キー４ｂが押下された場合、着呼した発呼側装置の電話番号が後述する鳴動禁止先番号メモリ１３ａに記憶されている場合、若しくは、後述する就寝フラグ１４ｂがオンである場合には、交換機２９から呼出信号を受信しても、呼出音をスピーカ２８から鳴動させず、呼出音の鳴動を禁止する。ＲＯＭ１２は、このファクシミリ装置１で実行される制御プログラムなどを格納した書換不能なメモリであり、図３から図５までのフローチャートに示すプログラムは、このＲＯＭ１２内に格納されている。
【００２４】
ＥＥＰＲＯＭ１３は書換可能な不揮発性のメモリであり、ＥＥＰＲＯＭ１３へ記憶されたデータは、ファクシミリ装置１の電源オフ後も保持される。このＥＥＰＲＯＭ１３は、鳴動禁止先番号メモリ１３ａを備えている。鳴動禁止先番号メモリ１３ａは、着呼に伴う呼出音の鳴動を禁止する発信者番号を記憶するためのメモリである。着呼に伴う呼出音の鳴動中に、受信者によって鳴動禁止キー４ｂが押下されると、その着呼のあった発呼側装置の電話番号が鳴動禁止先番号メモリ１３ａに記憶される。この鳴動禁止先番号メモリ１３ａに記憶されている発呼側装置から再び着呼があった場合には、鳴動禁止キー４ｂが押下されなくても、その着呼に伴う呼出音の鳴動が禁止される。
【００２５】
ＲＡＭ１４は、ファクシミリ装置１の各動作の実行時に各種のデータを一時的に記憶するためのメモリであり、発信者番号メモリ１４ａと就寝フラグ１４ｂとを備えている。
【００２６】
発信者番号メモリ１４ａは、着呼の際に、上述した発信電話番号表示サービスによって交換機２９から送信される発信者番号を一時的に記憶するためのメモリである。このため、着呼があっても交換機２９から発信者番号が送信されない場合には、発信者番号メモリ１４ａの内容を「０」クリアしている。従って、発信者番号メモリ１４ａの内容を調べて、「０」でなければ、発信者番号メモリ１４ａに記憶される電話番号の発呼側装置からの着呼であると判断でき、一方、発信者番号メモリ１４ａの内容「０」であれば、着呼のあった発呼側装置の電話番号が交換機２９から送信されなかったと判断することができる。
【００２７】
就寝フラグ１４ｂは、全ての発呼側装置からの着呼に伴う呼出音の鳴動を禁止するか否かを記憶するためのフラグである。就寝フラグ１４ｂは、受信者による操作パネル４上のキー４ａ操作によってオンオフが設定される。
【００２８】
画像メモリ１５は、通信履歴、画像データ及び印刷のためのビットイメージを記憶するためのメモリであり、安価な大容量メモリであるダイナミックＲＡＭ（ＤＲＡＭ）により構成されている。受信された画像データは、一旦画像メモリ１５に記憶され、プリンタ２５によって記録紙に印刷された後に、この画像メモリ１５から消去される。一般に、画像データは大容量であるが、画像データが印刷されることを条件にその画像データを消去しているので、画像メモリ１５を有効に使用することができる。音声メモリ１６は、発呼側装置へ送出される応答メッセージや、発呼側装置から送られてきた入来メッセージを記憶するメモリである。画像メモリ１５と同様に、安価な大容量メモリであるダイナミックＲＡＭ（ＤＲＡＭ）により構成されている。音声メモリ１６に記憶された入来メッセージは、操作パネル４を介して消去操作がなされることにより、或いは、電話回線に接続された他の装置から送られる消去コマンドを受信することによって、消去される。
【００２９】
音声ＬＳＩ１７は、ＮＣＵ１９によって受信されたアナログ音声信号をデジタル音声信号に変換する音声認識処理を行うとともに、ファクシミリ装置１の内部で生成されたデジタル音声信号をアナログ音声信号に変換して、ＮＣＵ１９やスピーカ２８（アンプ２７）へ出力する音声合成処理を行うためのものである。着呼に伴う呼出音の鳴動中に、前記した留守キー４ｃが受信者によって押下されると、電話回線を閉結した後に、音声メモリ１６に記憶される「留守であることを示すメッセージ」が、この音声ＬＳＩ１７によって、ＮＣＵ１９を介して発呼側装置へ送信される。
【００３０】
モデム２０は、画情報を変調および復調して伝送すると共に伝送制御用の各種手順信号を送受信するためのものであり、バッファ２１は、相手側ファクシミリ装置との間で送受信される符号化された画情報を含むデータを一時的に格納するためのものである。スキャナ２２は、原稿挿入口６に挿入された原稿から画像を読み取るためのものであり、符号化部２３は、スキャナ２２により読み取られた画像の符号化を行うものである。復号化部２４は、バッファ２１又は画像メモリ１５に記憶された受信画像データを読み出して、これを復号化するものであり、復号化されたデータは、プリンタ２５により記録紙に印刷される。
【００３１】
操作パネル４は、受信者がこのファクシミリ装置１の設定等を行う場合に各種の操作を行うためのものである。アンプ２７は、そのアンプ２７に接続されたスピーカ２８を鳴動して、呼出音や音声を出力するためのものである。呼出音の鳴動が禁止されている場合には、着呼（呼出信号の着信）があっても、スピーカ２８から呼出音の鳴動は行われない。
【００３２】
このように構成されたファクシミリ装置１は、ＮＣＵ１９を介して、電話回線３１に接続されている。この電話回線３１は、本ファクシミリ装置１の交換機２９に接続され、この交換機２９は電話回線３２を介して、他の交換機に接続されている。なお、他の交換機は、更に、電話回線を介して発呼側装置に接続されている。
【００３３】
次に図３から図５までのフローチャートを参照して、上記のように構成されたファクシミリ装置１の動作について説明する。図３は、着信時における処理を示したフローチャートである。図３に示すように、ファクシミリ装置１は、発呼側装置からの着呼に伴う呼出音の鳴動を許可する設定をする（Ｓ１）。設定後、交換機２９によって電話回線３１の極性反転が行われるのを待機し（Ｓ２：Ｎｏ）、極性反転が行われると（Ｓ２：Ｙｅｓ）、図４に示す特定番号鳴動禁止処理を実行する（Ｓ３）。
【００３４】
図４の特定番号鳴動禁止処理は、電話回線３１の極性反転が行われた場合に、着呼（呼出信号の着信）に伴う呼出音の鳴動を禁止する処理である。図４に示すように、まず、就寝フラグ１４ｂがオンであるか否かを確認する（Ｓ２１）。前記した通り、就寝フラグ１４ｂは、受信者による操作パネル４上のキー４ａ操作によってオン又はオフにされている。就寝フラグ１４ｂがオンであれば（Ｓ２１：ＯＮ）、着呼に伴う呼出音の鳴動を禁止して（Ｓ２６）、この特定番号鳴動禁止処理を終了する。
【００３５】
一方、就寝フラグ１４ｂがオフであれば（Ｓ２１：ＯＦＦ）、上述した発信電話番号表示サービスによって交換機２９から送られる発信者番号を受信したか否かを確認する（Ｓ２２）。発信者番号を受信した場合には（Ｓ２２：Ｙｅｓ）、その受信した発信者番号を発信者番号メモリ１４ａに書き込み（Ｓ２３）、発信者番号メモリ１４ａの内容をＬＣＤ５へ表示する（Ｓ２４）。表示後、発信者番号メモリ１４ａの内容が鳴動禁止先番号メモリ１３ａに記憶されているか否かを判断する（Ｓ２５）。判断の結果、発信者番号メモリ１４ａの内容が鳴動禁止先番号メモリ１３ａに記憶されている場合には（Ｓ２５：Ｙｅｓ）、着呼に伴う呼出音の鳴動を禁止する（Ｓ２６）。鳴動禁止後、この特定番号鳴動禁止処理を終了する。一方、発信者番号メモリ１４ａの内容が鳴動禁止先番号メモリ１３ａに記憶されていない場合には（Ｓ２５：Ｎｏ）、着呼に伴う呼出音を鳴動して（Ｓ２８）、この特定番号鳴動禁止処理を終了する。
【００３６】
このように、発呼側装置からの着呼があっても、その発呼側装置の電話番号が鳴動禁止先番号メモリ１３ａに記憶されている場合には、着呼に伴う呼出音の鳴動が禁止される。よって、鳴動禁止先番号メモリ１３ａに記憶されている電話番号の発呼側装置から着呼があった場合には、受信者に操作パネル４上のキー４ａ操作をさせることなく、その着呼に伴う呼出音の鳴動を禁止することができるのである。
【００３７】
Ｓ２２の処理において、本ファクシミリ装置１が発信電話番号表示サービスに加入していても、発信者が電話番号の送信を拒否している場合には、交換機２９から発信者番号は送信されないので、発信者番号を受信することができない。よって、かかる場合には（Ｓ２２：Ｎｏ）、発信者番号メモリ１４ａの内容を「０」クリアして（Ｓ２７）、発信者番号が受信できなかったことを記憶する。記憶後、着呼に伴う呼出音を鳴動して（Ｓ２８）、この特定番号鳴動禁止処理を終了する。
【００３８】
特定番号鳴動禁止処理（Ｓ３）の終了後は、処理を図３のＳ４へ移行して、図５に示す音量設定処理を実行する（Ｓ４）。図５の音量設定処理は、着呼に伴う呼出音の音量を設定する処理である。図５に示すように、まず、ＬＣＤ５に発信者番号が表示されているか否かを確認するために、発信者番号メモリ１４ａの内容が「０」であるか否かを判断する（Ｓ３１）。判断の結果、発信者番号メモリ１４ａの内容が「０」でない場合には（Ｓ３１：Ｎｏ）、ＬＣＤ５に発信者番号が表示されている。この場合に、音量調節キー４ｄが押下されれば（Ｓ３２：Ｙｅｓ）、着呼に伴う呼出音の鳴動を禁止する（Ｓ３３）。よって、受信者は、ＬＣＤ５に表示されている発信者番号を認識した場合に、音量調節キー４ｄを一回でも押下すれば、即座に呼出音の鳴動を禁止することができるのである。
【００３９】
一方、音量調節キー４ｄが押下されなければ（Ｓ３２：Ｎｏ）、呼出音の鳴動を禁止することなく、Ｓ３３の処理をスキップして、この音量設定処理を終了する。
【００４０】
Ｓ３１の処理において、発信者番号メモリ１４ａの内容が「０」である場合には（Ｓ３１：Ｙｅｓ）、ＬＣＤ５に発信者番号は表示されていない。この場合に、音量調節キー４ｄが押下されれば（Ｓ３４：Ｙｅｓ）、押下されたキー４ｄに応じて呼出音の音量を増減する（Ｓ３５）。増減後、この音量設定処理を終了する。一方、音量調節キー４ｄが押下されなければ（Ｓ３４：Ｎｏ）、呼出音の音量を増減することなく、Ｓ３５の処理をスキップして、この音量設定処理を終了する。
【００４１】
なお、この音量調節キー４ｄは、上記の用途以外にも、待ち受け状態での呼出音の音量調節および通話相手の音声の音量調節等の際にも使用されるため、入力キーを兼用することができ、装置全体としてのキーの数を減らすことができるのである。
【００４２】
音量設定処理（Ｓ４）の終了後は、処理を図３のＳ５へ移行して、受信者によって留守キー４ｃが押下されたか否かを確認する（Ｓ５）。留守キー４ｃの押下がなければ（Ｓ５：Ｎｏ）、受信者によって鳴動禁止キー４ｂが押下されたか否かを確認する（Ｓ６）。鳴動禁止キー４ｂが押下されれば（Ｓ６：Ｙｅｓ）、着呼に伴う呼出音の鳴動を禁止する（Ｓ７）。鳴動禁止後、発信者番号メモリ１４ａの内容が「０」であるか否かを判断する（Ｓ８）。判断の結果、発信者番号メモリ１４ａの内容が「０」でない場合には（Ｓ８：Ｎｏ）、交換機２９から送られる発信者番号を受信することができたので、発信者番号メモリ１４ａの内容を鳴動禁止先番号メモリ１３ａへ書き込む（Ｓ９）。一方、発信者番号メモリ１４ａの内容が「０」である場合には（Ｓ８：Ｙｅｓ）、発信者番号を受信することができなかったので、Ｓ９の処理をスキップする。また、Ｓ６の処理において、鳴動禁止キー４ｂが押下されなければ（Ｓ６：Ｎｏ）、呼出音の鳴動を禁止する処理を行わないので、Ｓ７からＳ９までの処理をスキップする。
【００４３】
このように受信者によって鳴動禁止キー４ｂが押下されると、着呼に伴う呼出音の鳴動が禁止される。よって、受信者は、着呼があった場合の心境や状況に応じて鳴動禁止キー４ｂを押下することにより、即座に呼出音の鳴動を禁止することができるのである。また、鳴動禁止キー４ｂが押下された場合に、発信者番号メモリ１４ａの内容が「０」でなければ、その発信者番号メモリ１４ａの内容が鳴動禁止先番号メモリ１３ａへ記憶される。よって、再度、同じ発呼側装置からの着呼があっても、即ち、鳴動禁止先番号メモリ１３ａへ記憶されている電話番号の発呼側装置からの着呼があっても、着呼に伴う呼出音の鳴動を自動的に禁止することができるのである。
【００４４】
次に、呼出信号が継続しているか否かを確認する（Ｓ１０）。呼出信号が継続している場合には（Ｓ１０：Ｙｅｓ）、受話器３が取り上げられたか否か、即ち、オフフック状態であるか否かを確認する（Ｓ１１）。未だ、受話器３が取り上げられず、オンフック状態であれば（Ｓ１１：Ｎｏ）、処理をＳ４へ移行して、呼出信号が継続している間（Ｓ１０：Ｙｅｓ）、Ｓ４からＳ１１の処理を繰り返す。その間に呼出信号が中断すれば（Ｓ１０：Ｎｏ）、処理をＳ１へ移行して、呼出音の鳴動を許可する設定をした後（Ｓ１）、極性反転が行われるのを待機する（Ｓ２）。よって、着呼が途絶えた場合には、呼出音の鳴動が禁止されていても、その呼出音の鳴動禁止の状態を解除することができるのである。
【００４５】
受話器３が取り上げられ、オフフック状態となれば（Ｓ１１：Ｙｅｓ）、電話処理を行う（Ｓ１２）。この電話処理では、電話回線を閉結し、発信者と受信者との間で通話が行われる。通話後、受信者によって受話器３がおろされオンフック状態となれば、電話回線を開放して、電話処理を終了する。電話処理（Ｓ１２）の終了後は、処理をＳ１へ移行して、呼出音の鳴動を許可する設定をした後（Ｓ１）、極性反転が行われるのを待機する。
【００４６】
Ｓ５の処理において、留守キー４ｃが押下された場合には（Ｓ５：Ｙｅｓ）、電話回線を閉結し（Ｓ１３）、発呼側装置に対して「只今、留守にしております。」とメッセージを出力する（Ｓ１４）。メッセージの出力後、電話回線を開放する（Ｓ１５）。開放後、処理をＳ１へ移行して、呼出音の鳴動を許可する設定をした後（Ｓ１）、極性反転が行われるのを待機する（Ｓ２）。
【００４７】
このように受信者によって留守キー４ｃが押下されると、直ちに電話回線を閉結して、発呼側装置に対して留守であることを示すメッセージが通知される。即ち、呼出音の鳴動中であっても、即座に留守番モードを起動することができるのである。
【００４８】
なお、請求項１から４に記載の鳴動手段としてはＳ２８の処理が、鳴動禁止手段としてはＳ７及びＳ３３の処理がそれぞれ該当する。また、請求項１から４に記載の音量増減手段としてはＳ３４及びＳ３５の処理が、表示手段としてはＳ２４の処理が、作動手段としてはＳ３３の処理が、鳴動音制御手段としてはＳ３５の処理がそれぞれ該当する。請求項２から４に記載の解除手段としてはＳ１の処理が該当する。請求項３又は４に記載の記憶手段としてはＳ９の処理が、判断手段としてはＳ２５の処理が、番号鳴動禁止手段としてはＳ２６の処理がそれぞれ該当する。請求項４記載のメッセージ通知手段としてはＳ１３及びＳ１４の処理が該当する。
【００４９】
以上、実施例に基づき本発明を説明したが、本発明は上記実施例に何ら限定されるものではなく、本発明の趣旨を逸脱しない範囲内で種々の改良変形が可能であることは容易に推察できるものである。
【００５０】
例えば、本実施例のファクシミリ装置１では、発呼側装置への留守であることを示すメッセージの通知は、受信者によって留守キー４ｃが押下されることによって行われた。しかし、これに代えて、予め、受信者による操作パネル４上のキー４ａ操作によって留守番モードに設定し、呼出信号が着信した場合に、電話回線を閉結し発呼側装置に対してかかるメッセージを通知することができるように構成しても良い。このように構成することにより、受信者に操作パネル４上のキー４ａ操作をさせることなく、発呼側装置へ留守であることを通知することができるのである。
【００５１】
【発明の効果】
請求項１記載の電話装置によれば、鳴動手段による呼出音の鳴動中に入力手段のキー部材が操作されると、鳴動手段による鳴動が鳴動禁止手段によって禁止される。よって、受信者は、着呼に伴う呼出音の鳴動中に、心境や状況に応じてキー操作を行い、その呼出音の鳴動を禁止することができるという効果がある。
また、請求項１記載の電話装置によれば、鳴動手段による呼出音の鳴動中に入力手段のキー部材が操作された場合に、発呼側装置の電話番号が表示されていれば、作動手段により鳴動禁止手段が作動され、呼出音の鳴動が禁止される。一方、かかる場合に、発呼側装置の電話番号が表示されていなければ、鳴動音制御手段により音量増減手段が作動され、キー操作に応じて、呼出音の音量が増減される。よって、受信者が、表示手段に表示されている発呼側装置の電話番号を認識してからキー操作を行った場合は、呼出音の鳴動を即座に禁止することができ、また、発呼側装置の電話番号が表示手段に表示されていない状態で同様のキー操作を行った場合には、そのキー操作により呼出音の音量を増減させることができるという効果がある。例えば、通常、呼出音の音量を増加させたり減少させたりする場合に用いられるキーを、本発明の鳴動禁止手段を作動させるためのキーと兼用することができ、装置の状態に応じて、同じキーが押下された場合の処理と異ならせることで、装置全体としてのキーの数を減らすことができるのである。
【００５２】
請求項２記載の電話装置によれば、請求項１記載の電話装置の奏する効果に加え、更に、発呼側装置からの着呼が途絶えた場合には、解除手段によって、鳴動禁止手段による鳴動の禁止状態が解除されるので、着呼ごとに呼出音の鳴動を禁止することができるという効果がある。
【００５３】
請求項３記載の電話装置によれば、請求項１または２に記載の電話装置の奏する効果に加え、新たに発呼側装置からの着呼があり、その新たに着呼のあった発呼側装置の電話番号が記憶手段に記憶されている発呼側装置の電話番号と一致する場合には、番号鳴動禁止手段によって鳴動手段による鳴動が禁止される。よって、特定の発呼側装置から再び着呼があっても、その着呼に伴う呼出音の鳴動については、キー操作を行うことなく自動的に禁止することができるという効果がある。
【００５４】
【００５５】
請求項４記載の電話装置によれば、請求項１から３のいずれかに記載の電話装置の奏する効果に加え、更に、鳴動手段による呼出音の鳴動中に入力手段のキー部材が操作されると、メッセージ通知手段によって、回線が閉結され、発呼側装置に対して所定のメッセージが通知される。よって、所定のメッセージとして、例えば留守であることを示すメッセージを用いれば、呼出音の鳴動中であっても、心境や状況に応じてキー操作を行うことで留守番モードを即座に起動することができるという効果がある。
【図面の簡単な説明】
【図１】  本発明の一実施例であるファクシミリ装置の斜視図である。
【図２】  上記ファクシミリ装置の電気的構成を示したブロック図である。
【図３】  着信時の処理を示したフローチャートである。
【図４】  特定番号鳴動禁止処理を示したフローチャートである。
【図５】  音量設定処理を示したフローチャートである。
【符号の説明】
１          ファクシミリ装置（電話装置）
３          受話器
４          操作パネル（入力手段）
４ａ        キー（キー部材）
４ｂ        鳴動禁止キー（鳴動禁止手段）
４ｃ        留守キー（メッセージ通知手段の一部）
４ｄ        音量調節キー（音量増減手段）
５          液晶表示器（ＬＣＤ）（表示手段）
１３        ＥＥＰＲＯＭ
１３ａ      鳴動禁止先番号メモリ（記憶手段）
１４        ＲＡＭ
１４ａ      発信者番号メモリ
１４ｂ      就寝フラグ
１７        音声ＬＳＩ（メッセージ通知手段の一部）
１９        ネットワークコントロールユニット（ＮＣＵ）（受信手段及びメッセージ通知手段の一部）
２０        モデム（受信手段の一部）
２１        バッファ（受信手段の一部）
２７        アンプ（鳴動手段の一部）
２８        スピーカ（鳴動手段の一部）
２９        交換機
３１，３２  電話回線
【図１】
0003692775.tif 000002
【図２】
0003692775.tif 000003
【図３】
0003692775.tif 000004
【図４】
0003692775.tif 000005
【図５】
0003692775.tif 000006